(57)【特許請求の範囲】
【請求項１】
使用者の人体局部を洗浄する洗浄手段と、使用者の臀部を暖める暖房便座と、前記人体局部に向って開口した乾燥用温風吹出口と、前記乾燥用温風吹出口に送風するファンモータと、前記ファンモータからの風を加熱するヒータと、前記ヒータからの送風路を分岐して、前記乾燥用温風吹出口へ向う第１の送風路と、トイレ室内に開口した部屋暖房用温風吹出口へ向う第２の送風路と、前記第１の送風路内に設け、乾燥時に前記第１の送風路の開口部から前記人体局部の方向に伸出し、非乾燥時には前記第１の送風路内に収納されるスライド自在な送風ダクトと、前記送風ダクトをスライド駆動する駆動手段と、前記送風ダクト伸出時には、前記送風路を第１の送風路側へ切換え、前記送風ダクトの収納時には、前記送風路を第２の送風路側へ切換える風路切換手段とを備え、前記風路切換手段は、前記送風ダクトの伸出時の動きにより、前記送風路を第１の送風路側へ、前記送風ダクトの収納時の動きにより、第２の送風路側へそれぞれ切換える構成にしてなる衛生洗浄装置。
【請求項２】
風路切換手段は、切換板と弾性体を有し、前記切換板は、第１の送風路と第２の送風路の分岐点を中心に回動自在に取付けられ、前記切換板の回動中心より風上側は、前記第１の送風路と前記第２の送風路のどちらか一方を塞ぎ、もう一方を開放するような形状の板部を有し、前記回動中心より風下側には、前記第１の送風路内の送風ダクト通路上に突出した凸部を有するとともに、前記切換板は、前記第１の送風路を開放し、前記第２の送風路を塞ぐように前記弾性体で付勢される請求項１記載の衛生洗浄装置。
【請求項３】
風路切換手段を第２の送風路側へ切換えた時、切換板の板部と第１の送風路との間に第１の隙間を有する請求項２記載の衛生洗浄装置。
【請求項４】
切換板の板部に貫通孔を有した請求項２記載の衛生洗浄装置。
【請求項５】
第１の送風路の開口部の最上部を中心に回動自在に取付けたシャッターを有する請求項１記載の衛生洗浄装置。
【請求項６】
第１の送風路の開口部下部にはシャッターが閉じた時に第２の隙間を有する請求項１または請求項３〜５のいずれか１項記載の衛生洗浄装置。
【発明の詳細な説明】
【０００１】
【発明の属する技術分野】
本発明は、人体局部を洗浄後乾燥する乾燥手段と、トイレ室内を暖房する部屋暖房手段を備えた衛生洗浄装置に関するものである。
【０００２】
【従来の技術】
従来、この種の衛生洗浄装置の乾燥手段と部屋暖房手段は、特開平９−６００８２公報に記載されているようなものが一般的であった。この装置は、図５に示されているように、乾燥手段用ヒータ１と部屋暖房手段用ヒータ２や乾燥手段用ファンモータ３と部屋暖房手段用ファンモータ４がそれぞれ別々に配されていた。また、乾燥吹出口５は本体６に固設されていた。
【０００３】
【発明が解決しようとする課題】
しかしながら、従来の衛生洗浄装置では乾燥手段用と部屋暖房手段用にそれぞれ別々のヒータとファンモータがついていてコストが高いという課題や、乾燥吹出口５が固定式であるため、乾燥吹出口５から使用者の人体局部に至るまでの距離が遠く、乾燥吹出口５から吹出した温風が人体局部に達するまでに拡散してしまい、温風が人体局部に集中的に当たらず、乾燥効率が悪く、乾燥に時間がかかるという課題を有していた。
【０００４】
【課題を解決するための手段】
本発明は上記課題を解決するために、１つのファンモータと１つのヒータによってつくった温風を、風路切換手段によって使用者の人体局部洗浄後の乾燥用とトイレ室内の部屋暖房用に切換え、また、乾燥時には送風ダクトを人体局部に向けて伸出させ、さらに前記風路切換手段の前記切換えを、前記送風ダクトの伸出時と収納時の動きに連動して行うものである。
【０００５】
上記発明によれば、１つのファンモータと１つのヒータで乾燥手段用と部屋暖房手段用を兼ねることができ、コストを低くできる。また送風ダクトが人体局部に向けて伸出するので、乾燥用温風吹出口から人体局部に至るまでの距離が短くなり、温風が人体局部に集中的に当たり、乾燥効率が良く、乾燥時間を短くすることができる。さらに、風路切換手段は送風ダクトの伸出時と収納時の動きに連動して切換えるので、駆動手段が１つで兼ねることができ、コストを低くできる。
【０００６】
【発明の実施の形態】
第１項記載の発明は、使用者の人体局部を洗浄する洗浄手段と、使用者の臀部を暖める暖房便座と、前記人体局部に向って開口した乾燥用温風吹出口と、前記乾燥用温風吹出口に送風するファンモータと、前記ファンモータからの風を加熱するヒータと、前記ヒータからの送風路を分岐して、前記乾燥用温風吹出口へ向う第１の送風路と、トイレ室内に開口した部屋暖房用温風吹出口へ向う第２の送風路と、前記第１の送風路内に設け、乾燥時に前記第１の送風路の開口部から前記人体局部の方向に伸出し、非乾燥時には前記第１の送風路内に収納されるスライド自在な送風ダクトと、前記送風ダクトをスライド駆動する駆動手段と、前記送風ダクト伸出時には、前記送風路を第１の送風路側へ切換え、前記送風ダクトの収納時には、前記送風路を第２の送風路側へ切換える風路切換手段とを備え、前記風路切換手段は、前記送風ダクトの伸出時の動きにより、前記送風路を第１の送風路側へ、前記送風ダクトの収納時の動きにより、第２の送風路側へそれぞれ切換える構成にしてなるものである。
【０００７】
これによれば、１つのファンモータと１つのヒータで乾燥手段用と部屋暖房手段用を兼ねることができ、コストを低くできる。また送風ダクトが使用者の人体局部に向けて伸出するので、乾燥用温風吹出口から人体局部に至るまでの距離が短くなり、温風が人体局部に集中的に当たり、乾燥効率が良く、乾燥時間を短くすることができる。さらに、風路切換手段は送風ダクトの伸出時と収納時の動きに連動して風路の切換えを行い、駆動手段が１つで兼ねることができ、コストを低くできる。
【０００８】
請求項２記載の発明は、風路切換手段は、切換板と弾性体を有し、前記切換板は、第１の送風路と第２の送風路の分岐点を中心に回動自在に取付けられ、前記切換板の回動中心より風上側は、前記第１の送風路と前記第２の送風路のどちらか一方を塞ぎ、もう一方を開放するような形状の板部を有し、前記回動中心より風下側には、前記第１の送風路内の送風ダクト通路上に突出した凸部を有するとともに、前記切換板は、前記第１の送風路を開放し、前記第２の送風路を塞ぐように前記弾性体で付勢されるものである。
【０００９】
これによれば、送風ダクトと風路切換手段が連動して動くので、駆動手段が１つで兼ねることができ、コストを低くできる。
【００１０】
請求項３および４記載の発明は、風路切換手段を第２の送風路側へ切換えた時、切換板の板部と第１の送風路との間に第１の隙間を有するものや、切換板の板部に貫通孔を有するものである。
【００１１】
これによれば、部屋暖房時、部屋暖房用温風吹出口からだけでなく、乾燥用温風吹出口からも一部温風が出るので、暖房便座は通電しなくても保温され省エネルギーとなる。
【００１２】
請求項５記載の発明は、第１の送風路の開口部最上部を中心に回動自在に取付けたシャッターを有するものである。
【００１３】
これによれば、送風ダクト収納時、第１の送風路の出口部はシャッターで閉じられるので、使用者の排便時の汚物などが第１の送風路内に入るのを防止できる。
【００１４】
請求項６記載の発明は、第１の送風路の開口部下部にシャッターが閉じた時に第２の隙間を有するものである。
【００１５】
これによれば、部屋暖房時、乾燥用温風吹出口から出る温風はシャッターの下方へ向かうので、使用者の人体局部に直接当たることがない。
【００１６】
【実施例】
以下、本発明の実施例について、図面を参照して説明する。
【００１７】
図１は本発明の実施例の衛生洗浄装置の風路切換手段部分の乾燥状態における縦断面図、図２は同衛生洗浄装置の風路切換手段部分の部屋暖房状態を含む非乾燥状態における縦断面図、図３は同衛生洗浄装置の横断面図、図４は同衛生洗浄装置の全体斜視図である。
【００１８】
図１〜図４において、本体ケース７は吸込口８を備え、この吸込口８に内接してフィルター９を取付け、フィルター９の内側にファンモータ１０を取付けている。そして、ファンモータ１０の風下側の送風路１１内にはヒータ１２を取付け、送風路１１は、ヒータ１２の風下側で第１の送風路１３と第２の送風路１４に分岐している。また、第１の送風路１３内には送風ダクト１５を駆動手段としてのラック１６と歯車１７を介して駆動用モータ１８と機械的に結合して取付けている。送風ダクト１５の先端には乾燥用温風吹出口１５ａが上向きに開口している。さらに、第１の送風路１３の先端は使用者の人体局部方向に開口し、その開口部１９の最上部１９ａを中心にシャッター２０を回動自在に取付けている。また、シャッター２０が閉じた時にも、シャッター２０と第１の送風路１３の開口部１９の下部１９ｂは第２の隙間２１を有している。一方、第２の送風路１４の先端は部屋暖房温風吹出口２２としてトイレ室内に開口している。第１の送風路１３と第２の送風路１４の分岐点２３を回動中心にして風路切換手段としての切換板２４を取付けている。この切換板２４は回動中心より風下側に凸部２４ａと風上側には貫通孔２５を有する板部２４ｂを備え、図１に示すように板部２４ｂが第２の送風路１４を塞ぎ、凸部２４ａが第１の送風路１３内に突出するように、弾性体２６で付勢されている。また、本体ケース７の前面には、暖房便座２７を取付けている。さらに、本体ケース７内には洗浄手段２８を備えている。
【００１９】
次に作用を説明する。乾燥時は、図１に示すように駆動用モータ１８が右回転し、歯車１７とラック１６を介して、送風ダクト１５は第１の送風路１３内を開口部１９の方向へスライドし、シャッター２０を押上げ開口部１９から突出し、切換板２４は弾性体２６に付勢されて第２の送風路１４を塞ぐ。そしてファンモータ１０の回転により吸込口８より吸込まれた空気は、送風路１１内のヒータ１２で加熱され第１の送風路１３を通り、送風ダクト１５を通って乾燥用温風吹出口１５ａから吹出され使用者の人体局部に当たる。一方、非乾燥時は、図２に示すように駆動用モータ１８が左回転し歯車１７とラック１６を介して、送風ダクト１５は第１の送風路１３内を切換板２４の方向にスライドし、第１の送風路１３内に収納され、さらにスライドして切換板２４の凸部２４ａを抑え込み、切換板２４が分岐点２３を中心に回動し、第１の送風路１３を塞ぐ。そして部屋暖房時は、ファンモータ１０の回転により吸込口８より吸込まれた空気は、送風路１１内のヒータ１２で加熱され第２の送風路１４を通り、部屋暖房用温風吹出口２２からトイレ室内へ吹出される。この時一部の温風は、貫通孔２５や、切換板２４の板部２４ｂと第１の送風路１３との間の第１の隙間２９を通ってシャッター２０の下部の第２の隙間２から吹出される。
【００２０】
切換板２４によって第１の送風路１３と第２の送風路１４を切換えるので、１つのファンモータ１０と１つのヒータ１２で乾燥手段用と部屋暖房手段用を兼ねることができ、コストを低くできる。
【００２１】
乾燥時、送風ダクト１５が使用者の人体局部に向けて伸出するので、乾燥用温風吹出口１５ａから人体局部に至るまでの距離が短くなり、温風が人体局部に集中的に当たり、乾燥効率が良く、乾燥時間を短くすることができる。
【００２２】
送風ダクト１５と風路切換手段としての切換板２４が連動して動くので、駆動用モータ１８を備えた駆動手段が１つで兼ねることができ、コストを低くできる。
【００２３】
部屋暖房時は、部屋暖房用温風吹出口２２からだけでなく、乾燥用温風吹出口１５ａからも一部温風が出るので、暖房便座２７は通電しなくても保温され省エネルギーとなる。
【００２４】
送風ダクト１５収納時、第１の送風路１３の開口部１９はシャッターで閉じられるので、使用者の排便時の汚物などが第１の送風路１３内に入るのを防止できる。
【００２５】
部屋暖房時、乾燥用温風吹出口１５ａから出る温風は、第１の送風路１３内を通ってシャッター２０の下部の第２の隙間２１から吹出され、シャッター２０の下方へ向かうので、使用者の人体局部に温風が直接当たることがない。
【００２６】
【発明の効果】
以上の説明から明らかなように本発明の衛生洗浄装置にによれば、次の効果が得られる。
【００２７】
１つのファンモータと１つのヒータで乾燥手段用と部屋暖房手段用を兼ねることができ、コストを低くできる。
【００２８】
また、乾燥時、送風ダクトが局部に向けて伸出するので、乾燥用温風吹出口から使用者の人体局部に至るまでの距離が短くなり、温風が人体局部に集中的に当たり、乾燥効率が良く、乾燥時間を短くすることができる。
【００２９】
また、送風ダクトと風路切換手段が連動して動くので、駆動手段が１つで兼ねることができ、コストを低くできる。
【００３０】
また、部屋暖房時、部屋暖房用温風吹出口からだけでなく、乾燥用温風吹出口からも一部温風が出るので、暖房便座は通電しなくても保温され省エネルギーとなる。
【００３１】
また、送風ダクト収納時、第１の送風路の出口部はシャッターで閉じられるので、使用者の排便時の汚物などが第１の送風路内に入るのを防止できる。
また、部屋暖房時、乾燥用温風吹出口から出る温風はシャッターの下方へ向かうので、使用者の人体局部に直接当たることがない。
【図面の簡単な説明】
【図１】  本発明の実施例の衛生洗浄装置の風路切換手段部分の乾燥状態における縦断面図
【図２】  同衛生洗浄装置の風路切換手段部分の部屋暖房状態を含む非乾燥状態における縦断面図
【図３】  同衛生洗浄装置の横断面図
【図４】  同衛生洗浄装置の全体斜視図
【図５】  従来の衛生洗浄装置の横断面図
【符号の説明】
１０  ファンモータ
１１  送風路
１２  ヒータ
１３  第１の送風路
１４  第２の送風路
１５  送風ダクト
１５ａ  乾燥用温風吹出口
１６  ラック（第１の駆動手段）
１７  歯車（第２の駆動手段）
１８  駆動用モータ（第３の駆動手段）
１９  開口部
１９ａ  最上部
２０  シャッター
２１  第２の隙間
２２  部屋暖房用温風吹出口
２３  分岐点（回動中心）
２４  切換板（風路切換手段）
２４ａ  凸部
【図１】
0004066494.tif 000002
【図２】
0004066494.tif 000003
【図３】
0004066494.tif 000004
【図４】
0004066494.tif 000005
【図５】
0004066494.tif 000006